(57)【要約】【課題】トラックに載置した時の積載物高さが、道路法の制限を超えることがない壁形成パネル、その壁形成パネルを使用した壁構造、及びその壁構造を含む建築物を提供する。【解決手段】壁形成パネル１０を、家屋の１階の下側一部の壁を形成するように構成し、壁形成パネル１２を、家屋の１階の上側一部及び２階の下側一部の壁を形成するように構成し、壁形成パネル１４を、家屋（建築物）（図示しない）の２階の上側一部の壁を形成するように構成した。壁形成パネル１０、１２、１４によって壁構造１６を構成した。【選択図】図１
2019199764.tif 000002
【特許請求の範囲】
【請求項１】
上辺、下辺及び２本の側辺を有し、建築物の外壁を形成するプレートと、
前記プレートの前記上辺に沿って固定された上横木と、を備えた壁形成パネルであり、
上下に３枚以上連接することにより木造の建築物の１階及び２階の壁を形成する壁形成パネル。
【請求項２】
前記プレートの一の側辺は前記上横木の一端よりも該上横木の長手方向に突出し、該プレートの他の側辺は該上横木の他端よりも該上横木の長手方向に突出し、
前記建築物を形成した時、前記プレートの中で、前記一の側辺付近が該建築物の一の柱に当接し、前記他の側辺付近が該建築物の他の柱に当接するように構成された請求項１に記載する壁形成パネル。
【請求項３】
前記上横木に対して垂直に固定された縦木を備え、
前記プレートの前記下辺は前記縦木の下端よりも該縦木の長手方向に突出し、
前記建築物を形成した時、前記プレートの中で、前記下辺付近が他の建築物構成部材に当接するように構成された請求項１又は２に記載する壁形成パネル。
【請求項４】
上辺、下辺及び２本の側辺を有し、建築物の外壁を形成するプレートと、
前記プレートの上辺に沿って固定された上横木と、を備えた壁形成パネルであり、
前記請求項１〜３のいずれかに記載する壁形成パネルとともに上下に３枚以上連接することにより木造の建築物の１階及び２階の壁を形成し、
前記建築物を形成した時、１階の上側一部及び２階の下側一部の壁を形成するように構成された壁形成パネル。
【請求項５】
前記プレートの中で前記上横木の長手方向に対して垂直方向中間付近に固定され、該上横木と平行な中横木を備え、
前記建築物を形成した時、前記中横木が該建築物の１階の天井梁を形成するように構成された請求項４に記載する壁形成パネル。
【請求項６】
前記プレートの一の側辺は前記上横木の一端及び前記中横木の一端よりも該上横木の長手方向に突出し、該プレートの他の側辺は該上横木の他端及び該中横木の他端よりも該上横木の長手方向に横方向に突出し、
前記建築物を形成した時、前記プレートの中で、前記一の側辺付近が該建築物の一の柱に当接し、前記他の側辺付近が該建築物の他の柱に当接するように構成された請求項５に記載する壁形成パネル。
【請求項７】
前記請求項６に記載する壁形成パネルと、
家屋の基礎の上に固定された鉛直方向の一の１階柱と、
前記一の１階柱の上に固定された鉛直方向の一の２階柱と、
家屋の基礎の上に固定された鉛直方向の他の１階柱と、
前記他の１階柱の上に固定された鉛直方向の他の２階柱と、を備え、
前記請求項６に記載する壁形成パネルが、前記一の１階柱の上側一部及び前記一の２階柱の下側一部に固定され、前記他の１階柱の上側一部及び前記他の２階柱の下側一部に固定された壁構造。
【請求項８】
前記請求項７に記載する壁構造を含む建築物。
【発明の詳細な説明】
【技術分野】
【０００１】
本願発明は、工場において製造しておき、建築現場へ搬送し、建築現場で基礎の上に立設することによって木造の建築物の壁を形成するための壁形成パネル、その壁形成パネルを使用した壁構造、及びその壁構造を含む建築物に関する。
【背景技術】
【０００２】
従来から、工場において製造された壁形成パネル（例えば特許文献１）が、家屋（建築物）を形成するために、建築現場へ搬送されていた。例えば、図９に示すように、トラック１の荷台２にラック３を載置しておき、ラック３に壁形成パネル４を略鉛直に立て掛けて壁形成パネル４を運搬していた。壁形成パネル４は、建築物の１階又は２階の天井の梁を形成する梁５を有する。建築現場において、トラック１に載置した壁形成パネル４の梁５をチャック（図示しない）によって把持し、壁形成パネル４の方向を変えないで基礎の上に効率よく立設していくためには、梁５を上にして壁形成パネル４をラック３に略鉛直に立て掛けておく必要がある。また、積載物高さＨを低くするために、トラック１に載置する壁形成パネル４を斜めにすることも考えられるが、積載できる壁形成パネル４の枚数が少なくなり運送コストが増大するため、壁形成パネル４をラック３に略鉛直に立て掛けておく必要がある。従来の壁形成パネル４は、建築物の１階又は２階の高さを有する大型パネルであるため、トラック１に載置した時の積載物高さＨが、道路法の制限を超えることがある。この場合、道路法上の取り締まりを受けることになり、壁形成パネル４を運搬できなかった。
【先行技術文献】
【特許文献】
【０００３】
【特許文献１】特開２０１６−７００５４号公報
【発明の概要】
【発明が解決しようとする課題】
【０００４】
本願発明は、トラックに載置した時の積載物高さが、道路法の制限を超えることがない壁形成パネル、その壁形成パネルを使用した壁構造、及びその壁構造を含む建築物を提供することを目的とする。
【課題を解決するための手段】
【０００５】
本願発明の壁形成パネルは、上辺、下辺及び２本の側辺を有し、建築物の外壁を形成するプレートと、
前記プレートの前記上辺に沿って固定された上横木と、を備えた壁形成パネルであり、
上下に３枚以上連接することにより木造の建築物の１階及び２階の壁を形成することを特徴とする。
【０００６】
本願発明の壁形成パネルは、前記壁形成パネルにおいて、前記プレートの一の側辺は前記上横木の一端よりも該上横木の長手方向に突出し、該プレートの他の側辺は該上横木の他端よりも該上横木の長手方向に突出し、
前記建築物を形成した時、前記プレートの中で、前記一の側辺付近が該建築物の一の柱に当接し、前記他の側辺付近が該建築物の他の柱に当接するように構成されたことを特徴とする。
【０００７】
本願発明の壁形成パネルは、前記壁形成パネルにおいて、前記上横木に対して垂直に固定された縦木を備え、
前記プレートの下辺は前記縦木の下端よりも該縦木の長手方向に突出し、
前記建築物を形成した時、前記プレートの中で、前記下辺付近が他の建築物構成部材に当接するように構成されたことを特徴とする。
【０００８】
本願発明の壁形成パネルは、上辺、下辺及び２本の側辺を有し、建築物の外壁を形成するプレートと、
前記プレートの上辺に沿って固定された上横木と、を備えた壁形成パネルであり、
他の前記壁形成パネルとともに上下に３枚以上連接することにより木造の建築物の１階及び２階の壁を形成する壁形成パネルであり、
前記建築物を形成した時、１階の上側一部及び２階の下側一部の壁を形成するように構成されたことを特徴とする。
【０００９】
本願発明の壁形成パネルは、前記プレートの中で前記上横木の長手方向に対して垂直方向中間付近に固定され、該上横木と平行な中横木を備え、
前記建築物を形成した時、前記中横木が該建築物の１階の天井梁を形成するように構成されたことを特徴とする。
【００１０】
本願発明の壁形成パネルは、前記壁形成パネルにおいて、前記プレートの一の側辺は前記上横木の一端及び前記中横木の一端よりも該上横木の長手方向に突出し、該プレートの他の側辺は該上横木の他端及び該中横木の他端よりも該上横木の長手方向に横方向に突出し、
前記建築物を形成した時、前記プレートの中で、前記一の側辺付近が該建築物の一の柱に当接し、前記他の側辺付近が該建築物の他の柱に当接するように構成されたことを特徴とする。
【００１１】
本願発明の壁構造は、前記壁形成パネルと、
家屋の基礎の上に固定された鉛直方向の一の１階柱と、
前記一の１階柱の上に固定された鉛直方向の一の２階柱と、
家屋の基礎の上に固定された鉛直方向の他の１階柱と、
前記他の１階柱の上に固定された鉛直方向の他の２階柱と、を備え、
前記請求項６に記載する壁形成パネルが、前記一の１階柱の上側一部及び前記一の２階柱の下側一部に固定され、前記他の１階柱の上側一部及び前記他の２階柱の下側一部に固定されたことを特徴とする。
【００１２】
本願発明の建築物は、前記壁構造を含むことを特徴とする。
【発明の効果】
【００１３】
本願発明の壁形成パネルによれば、上下に３枚以上連接することにより木造の建築物の１階及び２階の壁を形成するため、壁形成パネルの上下方向の高さを小さく構成できる。このため、壁形成パネルの上辺に設けた上横木を上にして、トラックの荷台に載置したラックに立て掛けて運搬しても、道路法の高さ制限に違反することがない。また、壁形成パネルは、上横木を備えるため、チャックの挟持部材によって上横木を挟持して、工場からトラックへの積載又はトラックから建築現場への搬入を、壁形成パネルを傷付けることなく容易に行うことができる。
【００１４】
また、プレートの中で、一の側辺付近が建築物の一の柱に当接し、他の側辺付近が建築物の他の柱に当接するように構成された本願発明の壁形成パネルによれば、一の側辺付近から一の柱へ、及び他の側辺付近から他の柱へ釘を打ち付けることにより、壁形成パネルを一の柱及び他の柱に強固に固定できる。このため、頑強な壁構造を形成できる。また、プレートの中で、下辺付近が他の建築物構成部材に当接するように構成された本願発明の壁形成パネルによれば、下辺付近を基礎横木又は他の壁形成パネルに固定して上下に連接できる。このため、上下に３枚以上連接する構成であっても、頑強な壁構造を形成できる。
【００１５】
また、本願発明の壁構造によれば、壁形成パネルが、前記一の１階柱の上側一部及び前記一の２階柱の下側一部に固定され、前記他の１階柱の上側一部及び前記他の２階柱の下側一部に固定されている構成であり、例えば、一の１階柱及び一の２階柱に関して言及すると、壁形成パネルが、一の１階柱及び一の２階柱に固定されるため、壁形成パネルが一の１階柱と一の２階柱との固定手段としても機能し、一の１階柱に対する一の２階柱の固定状態を頑強にすることができる。また、壁形成パネルの張力等によって、一の１階柱及び一の２階柱が湾曲するのを防止できる。また、一の１階柱と一の２階柱との連接部に壁形成パネルの連接部がないため、壁に作用する曲げ荷重がせん断荷重に対して頑強な構造となる。
【図面の簡単な説明】
【００１６】
【図１】本願発明に係る壁形成パネルを示す斜視図であり、同図（ａ）は家屋（建築物）の２階の上側一部の壁を形成する壁形成パネルを示し、同図（ｂ）は家屋の１階の上側一部及び２階の下側一部の壁を形成する壁形成パネルを示し、同図（ｃ）は家屋の１階の下側一部の壁を形成する壁形成パネルを示す。
【図２】図１に示す３枚の壁形成パネルを使用して形成した壁構造を示す正面図である。
【図３】図１に示す３枚の壁形成パネルを使用して壁構造を形成する途中の状態を示す正面図である。
【図４】図１に示す３枚の壁形成パネルを使用して壁構造を形成する途中の状態を示す正面図である。
【図５】図２に示す壁構造の断面図であり、同図（ａ）はＡ−Ａ線切断部断面図であり、同図（ｂ）はＢ−Ｂ線切断部断面図であり、同図（ｃ）はＣ−Ｃ線切断部断面図である。
【図６】本願発明の壁構造を形成するために使用する連結ピンを示す斜視図である。
【図７】本願発明の壁構造を形成するために使用する連結金具を示す斜視図であり、同図（ａ）は上横木を柱に連結する状態を示す図であり、同図（ｂ）は上横木を柱に連結した状態を示す図である。
【図８】壁形成パネルを挟持するチャックを示す側面図である。
【図９】従来の壁形成パネルを運搬する状態を示す正面図である。
【発明を実施するための形態】
【００１７】
次に、本願発明の実施形態について、図面に基づいて詳細に説明する。図１において、符号１０、１２及び１４は、本願発明に係る壁形成パネルを示し、図２において、符号１６は、壁形成パネル１０、壁形成パネル１２及び壁形成パネル１４を使用した壁構造を示す。壁形成パネル１０は、家屋（建築物）（図示しない）の１階の下側一部の壁を形成するように構成され、壁形成パネル１２は、家屋の１階の上側一部及び２階の下側一部の壁を形成するように構成され、壁形成パネル１４は、家屋の２階の上側一部の壁を形成するように構成されている。壁形成パネル１０、壁形成パネル１２及び壁形成パネル１４は、工場において製造される。
【００１８】
（壁形成パネルの構成）
（壁形成パネル１０）
壁形成パネル１０は、図１（ｃ）に示すように、家屋の外壁を形成するプレート７２と、プレート７２の上辺７４に沿って固定された上横木７６と、上横木７６に対して垂直に固定された２本の縦木７８とを備えている。プレート７２は建築現場においてはき出し用の窓（図示しない）を設けるための窓孔８０が設けられている。上横木７６は、窓枠の一部をなすとともに運搬時等に、図８に示すチャック１１０の挟持部材１１２によって挟持するための部材として機能する。上横木７６の上面９２には、壁形成パネル１２の縦木５４に連結するための市販の連結ピン３００（図６に示すものと同じ、使用方法は後述する）が設けられている。プレート７２と、上横木７６及び縦木７８とは、プレート７２から上横木７６等にＹ軸方向（プレート４４に対して垂直な方向）に釘（図示しない）を打ち込むことによって固定されている。上横木７６と、縦木７８とは、市販の連結ピン３００（図６に示すものと同じ、使用方法は後述する）によって固定されている。
【００１９】
プレート７２の一の側辺８６は上横木７６の一端８８よりもＸ軸方向（上横木７６の長手方向）に突出し、プレート７２の他の側辺９０は上横木７６の他端９２よりもＸ軸方向に突出する。壁構造１６（図２に示す）を形成した時、図３に示すように、プレート７２の中で、一の側辺８６付近を壁構造１６の一の１階柱１０６に当接させ、側辺９０付近を他の１階柱１０６に当接させ、一の側辺８６付近等から一の１階柱１０６等へ釘３１２（図２に示す）を打ち込むことができるように構成されている。プレート７２の下辺９６は、２本の縦木７８の下端９８よりもＺ軸方向（縦木７８の長手方向）へ突出する。壁構造１６（図２に示す）を形成した時、プレート７２の中で、下辺９６付近を壁構造１６の基礎横木１００（図２に示す）に当接させ、下辺９６付近から基礎横木１００へ釘３１４（図２に示す）を打ち込むことができるように構成されている。上横木７６は、図１に示すように、プレート７２の上辺７４よりもＺ軸方向に突出する。理由は、壁形成パネル１２の説明で後述する。
【００２０】
（壁形成パネル１２）
壁形成パネル１２は、図１（ｂ）に示すように、家屋の外壁を形成するプレート４４と、プレート４４の上辺４６に沿って固定された上横木４８と、プレート４４のＺ軸方向（上横木４８の長手方向に対して垂直方向）中間付近に固定され、上横木４８と平行な中横木５０とを備えている。上横木４８は、運搬時等に、図８に示すチャック１１０の挟持部材１１２によって挟持するための部材として機能する。上横木４８の上面９４には、壁形成パネル１４の２本の縦木２４に連結するための市販の連結ピン３００（図６に示すものと同じ、使用方法は後述する）が設けられている。中横木５０は、壁構造１６（図２に示す）を形成した時、そのまま１階の天井梁を形成する。壁形成パネル１２は、上横木４８及び中横木５０に固定された３本の補強棒５２と、中横木５０に対して垂直に固定された３本の縦木５４とを備えている。プレート４４と、上横木４８、中横木５０、補強棒５２及び縦木５４とは、プレート４４から上横木４８等にＹ軸方向（プレート４４に対して垂直な方向）に釘（図示しない）を打ち込むことによって固定されている。上横木４８と補強棒５２と、中横木５０と補強棒５２と、中横木５０と縦木５４とは、市販の連結ピン３００（図６に示すものと同じ、使用方法は後述する）によって固定されている。
【００２１】
プレート４４の一の側辺６０は上横木４８の一端６２及び中横木５０の一端６４よりもＸ軸方向（上横木４８の長手方向）に突出し、プレート４４の他の側辺６６は上横木４８の他端６８及び中横木５０の他端７０よりもＸ軸方向に突出する。壁構造１６（図２に示す）を形成した時、図４に示すように、プレート４４の中で、一の側辺６０付近を一の１階柱１０６の上側一部及びその一の１階柱に固定した一の２階柱１０８の下側一部に当接させ、他の側辺６６付近を一の１階柱１０６の上側一部及びその他の１階柱に固定した他の２階柱１０８の下側一部に当接させ、一の側辺６０付近等から１階柱１０６等へ釘３０８（図２に示す）を打ち込むことができるように構成されている。プレート４４の下辺５６は、３本の縦木５４の下端５８よりも下へ突出する。壁構造１６を形成した時に、壁形成パネル１２のプレート４４の下辺５６付近を、壁形成パネル１０の上横木７６の側面８２に当接させ、下辺５６付近から上横木７６へ釘３１０（図２に示す）を打ち込むことができるように構成されている。上横木４８は、図１に示すように、プレート４４の上辺４６よりもＺ軸方向に突出する。理由は、壁形成パネル１４の説明で後述する。
【００２２】
（壁形成パネル１４）
壁形成パネル１４は、図１（ａ）に示すように、家屋の外壁を形成するプレート１８と、プレート１８の上辺２０に沿って固定された上横木２２と、上横木２２に対して垂直に固定された２本の縦木２４とを備えている。プレート１８は建築現場において窓（図示しない）を設けるための窓孔２６が設けられている。上横木２２は、家屋を形成した時に、そのまま家屋の２階の天井梁を形成するために設けられている。また、上横木２２は、運搬時等に、図８に示すチャック１１０の挟持部材１１２によって挟持するための部材としても機能する。２本の縦木２４には補強棒２８が固定され、補強棒３０及び上横木２２には補強棒３０が固定されている。プレート１８と、上横木２２、縦木２４、補強棒２８及び補強棒３０とは、プレート１８から上横木２２等にＹ軸方向（プレート１８に対して垂直な方向）に釘（図示しない）を打ち込むことによって固定されている。上横木２２と縦木２４、上横木２２と補強棒３０、補強棒２８と補強棒３０とは、市販の連結ピン３００（図６に示すものと同じ、使用方法は後述する）によって固定されている。縦木２４と補強棒２８とは、市販の連結金具３０２（図７に示すものと同じ、使用方法は後述する）によって固定されている。
【００２３】
図１に示すように、プレート１８の一の側辺３２は上横木２２の一端３４よりもＸ軸方向（上横木２２の長手方向）に突出し、プレート１８の他の側辺３６は上横木２２の他端３８よりもＸ軸方向に突出する。壁構造１６（図２に示す）を形成した時、プレート１８の中で、一の側辺３２付近を壁構造１６の一の２階柱１０８に当接させ、他の側辺３６付近を他の２階柱１０８に当接させ、一の側辺３２近等から一の２階柱１０６等へ釘３０４（図２に示す）を打ち込むことができるように構成されている。プレート１８の２本の下辺４０は、２本の縦木２４の下端４２よりも下へ突出する。壁構造１６を形成した時に、壁形成パネル１４のプレート１８の下辺４０付近を、壁形成パネル１２の上横木４８の側面８４に当接させ、下辺４０付近から上横木４８へ釘３０６（図２に示す）を打ち込むことができるように構成されている。
【００２４】
（壁構造１６の構成）
壁構造１６は建築現場において形成される。壁構造１６は、図２に示すように、基礎横木１００に固定された一の１階柱１０６及び他の２階柱１０６と、これら２本の１階柱１０６及び基礎横木１００に固定された壁形成パネル１０と、一の１階柱１０６に固定された一の２階柱１０８と、他の１階柱１０６に固定された他の２階柱１０８と、一の１階柱１０６の上側一部及び一の２階柱１０８の下側一部、他の１階柱１０６の上側一部及び他の２階柱１０８の下側一部及び壁形成パネル１０に固定された壁形成パネル１２と、２本の２階柱１０８及び壁形成パネル１２に固定された壁形成パネル１４とから構成される。基礎横木１００は、基礎１０２上に、シール材１０４を介して、埋め込みボルト（図示しない）によって固定されている。２階柱１０８及び１０８を一体にして通し柱としてもよい。壁構造１６は、図３及び図４に示すように、基礎横木１００の上に、２本の１階柱１０６、壁形成パネル１０、２本の２階柱１０８、壁形成パネル１２、壁形成パネル１４の順に設置されて形成される。２本の１階柱１０６、２本の２階柱１０８、壁形成パネル１０、壁形成パネル１２、壁形成パネル１４の順に設置されて形成されてもよい。
【００２５】
１階柱１０６の基礎横木１００への固定作業は、図２に示すように、基礎横木１００の上面に設けられている連結ピン３００を１階柱１０６に挿入することによって行われる。連結ピン３００による固定方法は後述する。壁形成パネル１０の１階柱１０６への固定作業は、壁形成パネル１０の一の側辺８６付近及び他の側辺９０付近から１階柱１０６へ釘３１２を打ち込むことによって行われ、壁形成パネル１０の上横木７６を１階柱１０６のＺ軸方向中間部に設けた連結金具３０２に係合することによっても行われる。連結金具３０２による固定方法は後述する。壁形成パネル１０の基礎横木１００への固定作業は、壁形成パネル１０の下辺９６付近から基礎横木１００に釘３１４を打ち込むことによって行われ、基礎横木１００の上面に設けられている連結ピン３００を壁形成パネル１０の縦木７８に挿入することによっても行われる。２階柱１０８の１階柱１０６への固定作業は、１階柱１０６の上端に設けた連結ピン３００を２階柱１０８に挿入することによって行われる。
【００２６】
壁形成パネル１２の一の１階柱１０６の上側一部及び一の２階柱１０８の下側一部等への固定作業は、壁形成パネル１２の一の側辺６０付近等から１階柱１０６等に釘３０８を打ち込むことによって行われ、壁形成パネル１２の中横木５０を１階柱１０６の上端に設けた連結金具３０２に係合すること、及び壁形成パネル１２の上横木４８を２階柱１０８のＺ軸方向中間部に設けた連結金具３０２に係合することによっても行われる。壁形成パネル１２の壁形成パネル１０への固定作業は、壁形成パネル１２の下辺５６付近から壁形成パネル１０の上横木７６に釘３１０を打ち込むことによって行われ、壁形成パネル１０の上横木７６の上面に設けた連結ピン３００を壁形成パネル１２の縦木５４に挿入することによっても行われる。壁形成パネル１４の２本の２階柱１０８への固定作業は、壁形成パネル１４の一の側辺３２付近等から一の２階柱１０８に釘３０４を打ち込むことによって行われ、壁形成パネル１４の上横木２２を２階柱１０８の上端に設けた連結金具３０２に係合することによっても行われる。壁形成パネル１４の壁形成パネル１２への固定作業は、壁形成パネル１４の下辺４０付近から壁形成パネル１２の上横木４８に釘３０６を打ち込むことによって行われ、壁形成パネル１２の上横木４８の上面に設けた連結ピン３００を壁形成パネル１４の縦木４２に挿入することによっても行われる。
【００２７】
連結ピン３００による固定方法として、基礎横木１００の上への１階柱１０６の固定作業について説明する。図６に示すように、基礎横木１００の上面に設けられている連結ピン３００を１階柱１０６の下端１１４に設けた縦穴１１６に挿入し、横穴１１８を介して、連結ピン３００の係合孔１２０に係合ピン１２２を挿入することにより行われる。以上、基礎横木１００と１階柱１０６との連結箇所における連結ピン３００の使用方法について説明したが、他の連結箇所における連結ピン３００による固定方法も同様の方法である。
【００２８】
連結金具３０２による固定方法として、壁形成パネル１０の上横木７６の１階柱１０６への固定作業について説明する。図７（ａ）に示すように、壁形成パネル１０の上横木７６に設けられた溝１２４を連結金具３０２に係合した後、上横木７６の係合孔１２６及び連結金具３０２の係合孔１２８に、係合ピン１３０（図７（ｂ）に示す）を挿入することにより行われる。以上、上横木７６と１階柱１０６との連結箇所における連結金具３０２の使用方法について説明したが、他の連結箇所における連結金具３０２による固定方法も同様の方法である。
【００２９】
（本願発明の効果）
本願発明の壁形成パネル１０、１２及び１４によれば、上下に３枚連接することにより木造の建築物の１階及び２階の壁を形成するため、壁形成パネル１０等の上下方向の高さを小さく構成できる。このため、壁形成パネル１０等の上横木７６等を上にして、トラックの荷台に載置したラックに立て掛けて運搬しても、道路法の高さ制限に違反することがない。また、壁形成パネル１０は、上横木７６を備え、壁形成パネル１２は上横木４８を備え、壁形成パネル１４は上横木２２を備える。このため、図８に示すチャック１１０の挟持部材１１２によって上横木７６等を挟持して、工場からトラックへの積載又はトラックから建築現場への搬入を、壁形成パネル１０等を傷付けることなく容易に行うことができる。なお、上横木７６等を上にしてトラックで運搬すれば、建築現場において、壁形成パネル１０等の向きを変えることなく、そのままの向きで建築現場に迅速に設置できる。
【００３０】
また、壁形成パネル１０を２本の１階柱１０６及び基礎横木１００に固定し、壁形成パネル１２を２本の１階柱１０６、２本の２階柱１０８及び壁形成パネル１０に固定し、壁形成パネル１４を２階柱１０８及び壁形成パネル１２に固定して、壁構造１６を形成できる。このため、頑強な壁構造１６を形成できる。また、１階柱１０６と２階柱１０８の連結部を壁形成パネル１２によって固定して補強することにより、強度の高い壁構造及び建築物を形成できる。
【００３１】
また、１階柱１０６と２階柱１０８とは、１階柱１０６の上端に設けた連結ピン３００だけでなく、壁形成パネル１２が、釘３０８、１階柱１０６に設けた連結金具３０２、２階柱１０８に設けた連結金具３０２によって、１階柱１０６及び２階柱１０８に固定されることにより、互いに固定できる。このため、壁形成パネル１２は１階柱１０６と２階柱１０８との固定手段としても機能することができ、１階柱１０６と２階柱１０８とを頑強に固定できる。家屋の外の風により、図５（ａ）に示すように、外壁を構成するプレート７２、４４及び１８に風圧Ｐが負荷されて、１階柱１０６及び２階柱１０８にモーメントＮが負荷されても、壁形成パネル１２のＺ軸方向の張力により、２階柱１０８の下端が１階柱１０６の上端から離隔しようとする力を規制することができる。また、１階柱１０６及び２階柱１０８にモーメントＮが負荷されても、壁形成パネル１２のＺ軸方向の張力により、１階柱１０６及び２階柱１０８が湾曲することはない。
【００３２】
以上、本願発明の一実施形態について説明したが、本願発明は上述の実施形態に限定されない。例えば、上下に４枚以上連接することにより木造の建築物の１階及び２階の壁を形成するように構成してもよい。また、使用する連結ピン３００、連結金具３０２及び釘３１２等の数量は限定されない。また、連結ピン３００又は連結金具３０２の代替として他の市販の連結治具を使用してもよい。
【００３３】
また、本願発明は、建築構造物の基礎の上に設けられ、屋内と屋外とを仕切る壁形成パネルであって、中空部を有する内装パネルと、内装パネルの屋外側に固定された係合器具と 断熱材が内部に設けられ、係合器具に係合される係合部を有する外装パネルと、を備え、外装パネルの係合部を内装パネルに固定された係合器具に係合することにより、外装パネルが内装パネルの屋外側に垂設され、内装パネルと外装パネルとの間に隙間を有する壁形成パネルであって、上下に３枚以上連接することにより木造の建築物の１階及び２階の壁を形成する壁形成パネルであってもよい。
【００３４】
た、本願発明は、建築構造物の基礎の上に設けられ、屋内と屋外とを仕切る壁形成パネルであって、中空部を有する内装パネルと、内装パネルの屋外側に固定された係合器具と、断熱材が内部に設けられ、係合器具に係合される係合部を有する外装パネルと、を備え、外装パネルの係合部を内装パネルに固定された係合器具に係合することにより、外装パネルの係合部を係合器具に係合し、係合器具を内装パネルに固定することにより、外装パネルが内装パネルの屋外側に垂設され、内装パネルと外装パネルとの間に隙間を有する壁形成パネルであって、上下に３枚以上連接することにより木造の建築物の１階及び２階の壁を形成する壁形成パネルであってもよい。
【００３５】
また、本願発明は、建築構造物の基礎の上に立設され、建築構造物の壁を形成する壁形成ユニットであって、断熱材が内装された断熱パネルと、断熱パネルと平行に断熱パネルの一方の面側に固定された外装パネルと、断熱パネルと平行に断熱パネルの他方の面側に固定された内装パネルと、外装パネル及び断熱パネルによって形成される中空部から構成され、下端開口部及び上端開口部を有し、基礎の上に立設された時に、建築構造物の外の空気が、下端開口部から入り、断熱パネルの一方の面に沿って上昇し該上端開口部から上へ通り抜け、建築構造物の外へ排出されるように構成された第一通気経路と、基礎の上に立設された時に、建築構造物の床下の空気が、内装パネルと基礎との間の隙間から入るとともに断熱パネルと基礎との間は通らず、断熱パネルの他方の面に沿って下から上へ通り抜け、建築構造物の屋内へ流れるように構成された第二通気経路と、を備え、断熱パネル及び内装パネルの中の少なくとも一方は、基礎の上に締結具によって固定する固定用横木を、下端付近に備えた壁形成ユニットであって、上下に３枚以上連接することにより木造の建築物の１階及び２階の壁を形成する壁形成パネルであってもよい。
【符号の説明】
【００３６】
１０、１２、１４：壁形成パネル
１６：壁構造
１８、４４、７２：プレート
４６、７４：上辺
２２、４８、７６：上横木
２４、５４、７８：縦木
３２、６０、８６：一の側辺
３６，６６、９０：他の側辺
３４、６２、６４、８８：一端
３８、６８、７０、９２：他端
４０、５６、９６：下辺
４２、５８、９８：下端
１００：基礎横木
１０２：基礎
１０６：１階柱
１０８：２階柱
１１０：チャック
１１２：挟持部材
１３０：係合ピン
３００：連結ピン
３０２：連結金具
３０４、３０６、３０８、３１０、３１２、３１４：釘
【図１】
2019199764.tif 000003
【図２】
2019199764.tif 000004
【図３】
2019199764.tif 000005
【図４】
2019199764.tif 000006
【図５】
2019199764.tif 000007
【図６】
2019199764.tif 000008
【図７】
2019199764.tif 000009
【図８】
2019199764.tif 000010
【図９】
2019199764.tif 000011
【手続補正書】
【提出日】平成30年7月11日(2018.7.11)
【手続補正１】
【補正対象書類名】特許請求の範囲
【補正対象項目名】全文
【補正方法】変更
【補正の内容】
【特許請求の範囲】
【請求項１】
上辺、下辺及び２本の側辺を有し、建築物の外壁を形成するプレートと、
前記プレートの上辺に沿って固定された上横木と、を備えた壁形成パネルであり、
他の壁形成パネルとともに上下に３枚以上連接することにより木造の建築物の１階及び２階の壁を形成し、
前記建築物を形成した時、１階の上側一部及び２階の下側一部の壁を形成するように構成され、
前記プレートの中で前記上横木の長手方向に対して垂直方向中間付近に固定され、該上横木と平行な中横木を備え、
前記建築物を形成した時、前記中横木が該建築物の１階の天井梁を形成するように構成された壁形成パネル。
【請求項２】
前記プレートの一の側辺は前記上横木の一端及び前記中横木の一端よりも該上横木の長手方向に突出し、該プレートの他の側辺は該上横木の他端及び該中横木の他端よりも該上横木の長手方向に横方向に突出し、
前記建築物を形成した時、前記プレートの中で、前記一の側辺付近が該建築物の一の柱に当接し、前記他の側辺付近が該建築物の他の柱に当接するように構成された請求項１に記載する壁形成パネル。
【請求項３】
前記請求項２に記載する壁形成パネルと、
家屋の基礎の上に固定された鉛直方向の一の１階柱と、
前記一の１階柱の上に固定された鉛直方向の一の２階柱と、
家屋の基礎の上に固定された鉛直方向の他の１階柱と、
前記他の１階柱の上に固定された鉛直方向の他の２階柱と、を備え、
前記請求項２に記載する壁形成パネルが、前記一の１階柱の上側一部及び前記一の２階柱の下側一部に固定され、前記他の１階柱の上側一部及び前記他の２階柱の下側一部に固定された壁構造。
【請求項４】
前記請求項３に記載する壁構造を含む建築物。
【手続補正２】
【補正対象書類名】明細書
【補正対象項目名】００３６
【補正方法】変更
【補正の内容】
【００３６】
１０、１２、１４：壁形成パネル
１６：壁構造
１８、４４、７２：プレート
４６、７４：上辺
２２、４８、７６：上横木
２４、５４、７８：縦木
３２、６０、８６：一の側辺
３６，６６、９０：他の側辺
３４、６２、６４、８８：一端
３８、６８、７０、９２：他端
４０、５６、９６：下辺
４２、５８、９８：下端
５０：中横木
１００：基礎横木
１０２：基礎
１０６：１階柱
１０８：２階柱
１１０：チャック
１１２：挟持部材
１３０：係合ピン
３００：連結ピン
３０２：連結金具
３０４、３０６、３０８、３１０、３１２、３１４：釘